(57)【特許請求の範囲】
【請求項１】
遊技機本体（１）の前側下部の灰皿支持部（４４）内に横軸（５２）廻りに回動可能に灰皿（３７）を備えた遊技機において、前記灰皿支持部（４４）内に、前記灰皿（３７）を収容する灰皿収容箱（４８）を、前記灰皿（３７）が前記横軸（５２）廻りに回動可能な上向き状態と、前記灰皿支持部（４４）内の前記灰皿（３７）を覆う下向き状態とに上下反転可能に備え、前記灰皿収容箱（４８）の裏側で前記上向き状態、前記下向き状態の前記灰皿収容箱（４８）を前記灰皿支持部（４４）に固定するための固定手段（６０）を備え、前記灰皿支持部（４４）は左右の側壁（４２，４５）、該側壁（４２，４５）間に連結された底壁（４６）、及び前記側壁（４２，４５）間に連結された後壁（４７）を有し、且つ前及び上が開放する箱状であり、前記灰皿収容箱（４８）は前記横軸（５２）を介して前記灰皿（３７）を支持する左右の側壁（５５）、該側壁（５５）に連結され前記下向き状態のときに前記灰皿支持部（４４）の前記左右の側壁（４２，４５）間を塞ぐ底壁（５６）、及び前記側壁（５５）に連結された後壁（５７）を有し、且つ前記上向き状態のときに前及び上が開放する箱状であり、前記灰皿収容箱（４８）はその前記左右の側壁（５５）が前記灰皿支持部（４４）の前記左右の側壁（４２，４５）間に前から着脱自在にテーパー嵌合していることを特徴とする遊技機。
【請求項２】
前記固定手段（６０）は、前記灰皿収容箱（４８）の後壁（５７）を前記灰皿支持部（４４）の後壁（４７）に固定する固定具（６３）を備えたことを特徴とする請求項１に記載の遊技機。
【請求項３】
前記灰皿収容箱（４８）はその後壁（５７）から後方に突出する嵌合凸部（６１）を、前記灰皿支持部（４４）はその後壁（４７）に、前記嵌合凸部（６１）が前側から着脱自在に嵌合する嵌合凹部（６２）を夫々備え、前記嵌合凹部（６２）の裏側から前記嵌合凸部（６１）を固定する前記固定手段（６０）を備えたことを特徴とする請求項１又は２に記載の遊技機。
【請求項４】
前記灰皿収容箱（４８）の底壁（５６）の前記灰皿（３７）と反対の裏側に禁煙表示（６５）を備えたことを特徴とする請求項１〜３の何れかに記載の遊技機。
【発明の詳細な説明】
【技術分野】
【０００１】
本発明は、スロットマシン、パチンコ機等の遊技機に関し、喫煙用と禁煙用とに容易に変更できるようにしたものである。
【背景技術】
【０００２】
スロットマシン、パチンコ機等の遊技機は、その遊技機本体の前側下部に灰皿を備え、遊技者が喫煙しながら遊技をできるようにしている。しかし、近時では禁煙者も非常に多くなり、喫煙コーナと区別して禁煙コーナを設ける遊技ホールも出ている。従って、このような傾向から、遊技機においても、必要に応じて喫煙用と禁煙用とに容易に変更できるようにしたものが提案されている。この変更方式としては、従来、灰皿を横軸廻りに上下に反転可能にしたもの（特許文献１）と、灰皿体を前後に反転可能にしたもの（特許文献２）とがある。
【０００３】
上下反転方式は、灰皿を収容する灰皿支持部の左右の側壁に、前後方向の水平案内部と、この水平案内部の後端から下方に延びる縦案内部とを形成し、これらの案内部に摺動及び回動自在に嵌合する横軸を灰皿の後下部側の両側に設け、喫煙用の場合には横軸を縦案内部の下端側に位置させて灰皿を上向き状態にし、禁煙用の場合には横軸を水平案内部の前端側に位置させて灰皿を下向き状態にして、その各状態で灰皿を灰皿支持部の前端側下部の係止レバーにより係止するようにしている。
【０００４】
前後反転方式は、灰皿体の前後に灰受け部と平坦部とを設け、喫煙用の場合には灰受け部が、禁煙用の場合には平坦部が夫々前側となるように、灰皿体の向きを前後に反転して灰皿支持部に装着するようにしている。
【特許文献１】特開２００４−２９０４６４号公報
【特許文献２】特開平９−２０６４５１号公報
【発明の開示】
【発明が解決しようとする課題】
【０００５】
上下反転方式は、禁煙用に変更する場合に、灰皿の横軸を水平案内部の前端側まで移動させた後、その位置で灰皿を横軸廻りに回動させて灰皿支持部内に収めるため、灰皿支持部内で下向き状態の灰皿と灰皿支持部の後壁との間に大きな隙間又は凹部ができる。このため禁煙用に変更した場合には、灰皿と灰皿支持部の後壁との間にゴミ等が溜まり易くなるという欠点がある。
【０００６】
一方、前後反転方式は、灰皿体を前後方向に長くしておき、その灰皿体を灰皿支持部に前後反転して前側から挿入するため、禁煙用、喫煙用の何れの場合にも、灰皿支持部の上面側に不必要な隙間、凹部等ができることはないが、灰皿体の一部が灰皿支持部の後側に大きく突出するため、全体が前後方向に大型化する欠点があり、また灰皿支持部の後側に灰皿体用の空間を確保する必要があり、灰皿支持部の後側に所定の後構成部材を配置できないという問題がある。
【０００７】
本発明は、このような従来の問題点に鑑み、禁煙用に変更した場合にも、灰皿支持部の上面側に不必要な隙間、凹部等の発生を防止でき、しかも灰皿支持部から後方への突出量を防止でき、全体の前後方向の寸法を小型化できる遊技機を提供することを目的とする。
【課題を解決するための手段】
【０００８】
本発明は、遊技機本体１の前側下部の灰皿支持部４４内に横軸５２廻りに回動可能に灰皿３７を備えた遊技機において、前記灰皿支持部４４内に、前記灰皿３７を収容する灰皿収容箱４８を、前記灰皿３７が前記横軸５２廻りに回動可能な上向き状態と、前記灰皿支持部４４内の前記灰皿３７を覆う下向き状態とに上下反転可能に備え、前記灰皿収容箱４８の裏側で前記上向き状態、前記下向き状態の前記灰皿収容箱４８を前記灰皿支持部４４に固定するための固定手段６０を備え、前記灰皿支持部４４は左右の側壁４２，４５、該側壁４２，４５間に連結された底壁４６、及び前記側壁４２，４５間に連結された後壁４７を有し、且つ前及び上が開放する箱状であり、前記灰皿収容箱４８は前記横軸５２を介して前記灰皿３７を支持する左右の側壁５５、該側壁５５に連結され前記下向き状態のときに前記灰皿支持部４４の前記左右の側壁４２，４５間を塞ぐ底壁５６、及び前記側壁５５に連結された後壁５７を有し、且つ前記上向き状態のときに前及び上が開放する箱状であり、前記灰皿収容箱４８はその前記左右の側壁５５が前記灰皿支持部４４の前記左右の側壁４２，４５間に前から着脱自在にテーパー嵌合している。
【発明の効果】
【０００９】
本発明では、禁煙用に変更した場合にも、灰皿支持部４４の上面側に不必要な隙間、凹部等の発生を防止でき、しかも灰皿支持部４４から後方への突出量を防止でき、全体の前後方向の寸法を小型化できる。
【発明を実施するための最良の形態】
【００１０】
以下、本発明の実施形態を図面に基づいて詳述する。図面は本発明をスロットマシンとして具現化した実施例を例示している。図１及び図２において、１は遊技機本体を構成する筐体であり、本体ケース２と、この本体ケース２の前側に配置された矩形状の前面パネル３とを備えている。
【００１１】
本体ケース２は例えば木製で、左右一対の側板４ａ，４ｂと、それら左右の側板４ａ，４ｂの上下両端側を左右に連結する上板５及び底板６と、背面側を略塞ぐ背板７とにより、前側が開放する箱形に形成されており、その前側を開閉自在に閉鎖するように前面パネル３が装着されている。
【００１２】
本体ケース２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が格納された主制御基板ケース１４等が配置されている。表示リールユニット９は、左右の側板４ａ，４ｂ間に架設された中間棚１５上に着脱自在に装着されている。
【００１３】
メダル払い出し装置１０は、払い出し用のメダルを貯留するメダルホッパー１６、メダルホッパー１６内のメダルを払い出すメダル払い出し手段１７、メダルホッパー１６から溢れたメダルをメダル補助ケース１１側に排出する余剰メダル排出口１８等を備え、底板６上に着脱自在に装着されている。メダル補助ケース１１は側板４ｂに近接して底板６上に装着され、電源基板ケース１２はメダル補助ケース１１と反対側で側板４ａの下部側に装着されている。
【００１４】
前面パネル３は左右一端側、例えば左側に配置されたヒンジ手段（図示省略）を介して本体ケース２に対して開閉自在に装着されており、その上部側には第１表示窓２３と第２表示窓２４とが上下に配置されている。第１表示窓２３は、本体ケース２側の図柄表示リール８ａ〜８ｃに対応して矩形状に形成されており、遊技者はこの第１表示窓２３を介して図柄表示リール８ａ〜８ｃを前側から視認可能となっている。
【００１５】
第２表示窓２４は、前面パネル３の裏側に装着された液晶表示ユニット（図示省略）の表示画面２５に対応して、第１表示窓２３よりも大型の矩形状に形成されており、遊技者はこの第２表示窓２４を介して表示画面２５を前側から視認可能となっている。
【００１６】
また第２表示窓２４の下側には、横長状の操作パネル部２６が設けられている。この操作パネル部２６の上面側には、遊技媒体としてのメダルを投入可能なメダル投入口２７の他、１ベットボタン２８、マックスベットボタン２９及びキャンセルボタン３０が設けられている。１ベットボタン２８、マックスベットボタン２９は、メダル投入口２７へのメダル投入に代えてクレジットからメダルをベットするためのものである。
【００１７】
また操作パネル部２６の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２７内に詰まったメダルを返却させるための返却ボタン３３等が設けられている。
【００１８】
前面パネル３の下部前側には、メダル払い出し手段１７から払い出されたメダルや返却されたメダルを前側に排出するための排出口３４と、この排出口３４の左右両側に配置されたスピーカ３５とが設けられ、また排出口３４及びスピーカ３５の前側に、排出口３４から排出されたメダルを受けるメダル受け皿３６が、このメダル受け皿３６の一側に灰皿３７が設けられている。スピーカ３５は前面パネル３の裏側に装着されている。
【００１９】
メダル受け皿３６は前面パネル３の骨格体であるパネル体３８の前側に横長矩形状の受け皿体３９を装着して構成されている。受け皿体３９は前壁４０、底壁４１及び左右両側の側壁４２，４３を一体に備え、その一方に側壁４２を挟んで灰皿支持部４４が一体に設けられている。
【００２０】
灰皿支持部４４は図３〜図６に示すように、左右一対の側壁４２，４５及び底壁４６を一体に備え、パネル体３８の一部が後壁４７を兼用するように、パネル体３８の前面に当接して設けられている。従って、灰皿支持部４４は前側及び上側が開放する箱状であり、その箱状の灰皿支持部４４に、灰皿３７を横軸５２廻りに回動自在に収容する灰皿収容箱４８が嵌合されている。
【００２１】
各側壁４２，４５の内面には、灰皿収容箱４８を前後方向に案内する案内リブ４２ａ，４５ａが設けられている。この案内リブ４２ａ，４５ａは前後方向に長く形成され、上下方向に所定の間隔をおいて複数個配置されている。なお、案内リブ４２ａ，４５ａは灰皿収容箱４８を案内可能な位置に１個設けてもよい。
【００２２】
灰皿収容箱４８は図５、図８に示すように、灰皿支持部４４に上下に反転可能に嵌合され、前側から前後方向に着脱自在である。なお、灰皿支持部４４の後壁４７は、パネル体３８とは別に側壁４２，４５、底壁４６等と一体に形成してもよい。
【００２３】
灰皿３７は図３〜図６に示すように矩形箱状であって、その前壁４９の上部中央に煙草を挟む切欠き部５０が形成されると共に、後壁５１側が横軸５２を中心とする円弧状に形成されている。また灰皿３７の開口側の外周には、前側を除く三辺に鍔部５３が形成されており、この鍔部５３の前端側と一致するように前壁４９の左右両端が側壁５４よりも若干外側に突出している。
【００２４】
灰皿収容箱４８は、左右一対の側壁５５、底壁５６及び後壁５７を有し、灰皿３７が上向き状態となる喫煙用の姿勢において、その前側及び上側が開放する矩形箱状になっている。灰皿収容箱４８の後壁５７の上端内側には、灰皿収容箱４８内に収容された灰皿３７を上向き状態で受ける受け部５８が形成されている。
【００２５】
灰皿収容箱４８の左右の側壁５５は、その上下を反転して灰皿支持部４４に挿入したときにも、その左右の外側面が灰皿支持部４４側の左右の側壁４２，４５の上端縁間に当接又は近接し、また灰皿３７の後側の鍔部５３が受け部５８に当接したときに、左右の鍔部５３が左右の内側面に当接又は近接する間隔となっている。
【００２６】
灰皿３７の左右の側壁５４間の間隔、灰皿収容箱４８の側壁５５の左右の間隔は、前側に対して後側が若干狭くなっている。従って、灰皿３７、灰皿収容箱４８は共に後側になる程、その左右の間隔が狭くなるテーパー状である。なお、案内リブ４２ａ，４５ａは後側の突出量が大であり、灰皿収容箱４８のテーパーに合わせて後側になる程、左右間の間隔が狭くなっている。
【００２７】
灰皿３７と灰皿収容箱４８はその前側上部の横軸５２廻りに回動自在に枢着されている。横軸５２は灰皿収容箱４８の左右の側壁５５の前側上部の内側に一体に形成され、灰皿３７の側壁５４の前側上部の外側に形成された凹部５９に相対回動自在に嵌合されている。なお、横軸５２を灰皿３７側に、凹部５９を灰皿収容箱４８側に設けてもよい。
【００２８】
灰皿収容箱４８は上向き状態（図５参照）、下向き状態（図８参照）の何れでも、その後壁５７側で灰皿支持部４４の後壁４７に対して固定手段６０により固定可能である。即ち、灰皿収容箱４８にはその後壁から後方に突出する嵌合凸部６１が、灰皿支持部４４にはパネル体３８により構成される後部から後方へと凹入し且つ嵌合凸部６１が前側から着脱自在に嵌合する嵌合凹部６２が夫々一体に形成されており、その両者を嵌合させた状態で固定手段６０により着脱自在に固定されている。
【００２９】
固定手段６０はネジ等の固定具６３から構成され、その固定具６３は嵌合凹部６２の底壁６４に後側から挿入され、嵌合凸部６１に螺合されている。嵌合凸部６１、嵌合凹部６２は共に後側が細くなる台形状であって、灰皿支持部４４、灰皿収容箱４８の後壁４７，５７の上下方向、左右方向の略中央から設けられている。
【００３０】
灰皿収容箱４８の底壁５６には、灰皿３７と反対の裏側に禁煙マーク、注意書き等の禁煙表示６５が付されている。灰皿支持部４４、灰皿３７、灰皿収容箱４８は、その前端側、上側が共に略面一状である。なお、灰皿支持部４４の側壁４２，４５の後部側には、円弧状に凹入する湾曲部６７を有し、その下端縁がその下側の灰皿収容箱４８に重なる規制部６８となっている。
【００３１】
上記構成のスロットマシンにおいて、喫煙用として使用する場合には、図３〜図６に示すように、灰皿３７を収容する灰皿収容箱４８を上向き状態で灰皿支持部４４に嵌合し、灰皿収容箱４８の嵌合凸部６１を灰皿支持部４４の嵌合凹部６２に嵌合させて裏側から固定具６３により固定しておく。これで灰皿３７が上向き状態になるため、灰皿３７に吸殻等を入れることができる。
【００３２】
そして、灰皿３７内に溜まった吸殻等を除去する際には、灰皿３７を横軸５２廻りに前側へとａ矢示方向（図参照）に回動させる。また吸殻等を除去した後は、灰皿３７を横軸５２廻りに反ａ矢示方向へと回動させて灰皿収容箱４８内に戻す。
【００３３】
禁煙用に変更する場合には、先ず固定手段６０による灰皿収容箱４８の固定を解除し、灰皿３７を収容する灰皿収容箱４８を灰皿支持部４４から前側へと抜き取る。そして、灰皿３７、灰皿収容箱４８が下向き状態となるように灰皿収容箱４８の上下を反転した後、その灰皿収容箱４８を灰皿支持部４４内へと前側から差し込んで嵌め込む。
【００３４】
すると嵌合凸部６１が嵌合凹部６２に嵌合するので、パネル体３８の裏側から嵌合凸部６１と嵌合凹部６２とに跨がって固定具６３を挿入して両者を固定する。これで図７、図８に示すように、灰皿収容箱４８により灰皿支持部４４を塞ぐことができ、しかも禁煙表示６５が上側に露出する。
【００３５】
このようにすれば、喫煙用と禁煙用とに容易に変更することができる。また灰皿収容箱４８を使用しており、喫煙用の場合にはその灰皿収容箱４８内で灰皿３７が横軸５２廻りに回動し、禁煙用の場合には、その灰皿収容箱４８で下向き状態の灰皿３７を上側から覆うため、何れの場合にも上側に不必要な隙間、凹部等が発生することもない。
【００３６】
しかも、灰皿３７を収容する灰皿収容箱４８を灰皿支持部４４内で上下に反転することにより、喫煙用と禁煙用とに変更であるため、後方に大きく突出させる必要がなく、パネル体３８の後側に後構成部材がある場合にはそれとの干渉を回避でき、また後構成部材の有無に関係なく前後方向の寸法を短くできるため、前後方向の形状を小型化することができる。
【００３７】
更に灰皿収容箱４８と灰皿支持部４４との後壁４７，５７同士を固定手段６０で前後方向に固定しているため、遊技者によって固定手段６０が解除されるようなこともない。また灰皿収容箱４８の嵌合凸部６１と灰皿支持部４４の嵌合凹部６２とを前後方向に嵌合させて、その両者を固定具６３で結合しているため、灰皿支持部４４内で灰皿収容箱４８が不安定に上下動することもなく、灰皿収容箱４８を確実に固定できる。
【００３８】
また灰皿支持部４４の左右の側壁４２，４５の後部側では、湾曲部６７の下端側の規制部６８が灰皿収容箱４８の左右両端部に上側から重なっているため、この規制部６８によって灰皿収容箱４８の浮き上がりを規制することができる。なお、灰皿支持部４４の左右の側壁４２，４５には、規制部６８をその前後方向の略全長にわたって設けてもよい。
【００３９】
以上、本発明の実施例について詳述したが、本発明はこの実施例に限定されるものではなく、本発明の趣旨を逸脱しない範囲で種々の変更が可能である。例えば、灰皿支持部４４は受け皿体３９と別体に設けてもよい。灰皿３７は灰皿収容箱４８内に収容されているため、その形状は任意に変更可能であり、実施例の形状に限定されるものではない。灰皿収容箱４８は灰皿支持部４４内で上側に突出するように、灰皿支持部４４の左右の側壁４２，４５の前部側よりも高くすることも可能である。
【００４０】
固定手段６０はネジ等の固定具６３による以外に、灰皿支持部４４の後壁に係合部を形成し、この係合部に係脱自在に係合する係合爪を、灰皿収容箱４８の後壁５７から後方に突出させて設け、灰皿収容箱４８を取り外すときに、パネル体３８の裏側で係合爪を係合部から離脱操作するようにしてもよい。この場合には、灰皿支持部４４の左右の側壁４２，４５に、灰皿収容箱４８の左右両端部に上側から係合してその浮き上がりを規制する規制部６８を前後方向に設けておくことが望ましい。
【００４１】
灰皿支持部４４の側壁４２，４５の内面に、灰皿収容箱４８を前後方向に案内する案内部を設ける場合、実施例の案内リブ４２ａ，４５ａのように構成するのが望ましいが、灰皿収容箱４８の先端側の被案内部が円弧状等であれば、案内部は前後方向に複数個の突起により構成してもよい。例えば、灰皿収容箱４８が灰皿支持部４４に嵌合した状態において、灰皿収容箱４８の前後方向の中間部分の複数箇所に左右両側から当接する突起状の案内部を各側壁４２，４５設けて、これで灰皿収容箱４８を案内するようにしてもよい。
【００４２】
実施例では、遊技媒体としてメダルを使用するスロットマシンを例示しているが、メダル以外の遊技媒体を使用するものでもよい。また実施例はスロットマシンについて例示しているが、パチンコ機その他の弾球遊技機、又はスロットマシン、弾球遊技機以外の遊技機においても同様に実施することが可能である。
【図面の簡単な説明】
【００４３】
【図１】本発明の一実施例に係るスロットマシンの全体斜視図である。
【図２】本体ケース側の正面図である。
【図３】喫煙用の状態での灰皿側の一部破断正面図である。
【図４】喫煙用の状態での灰皿側の横断面図である。
【図５】喫煙用の状態での灰皿側の縦断面図である。
【図６】喫煙用の状態での灰皿側の分解斜視図である。
【図７】禁煙用の状態での灰皿側の斜視図である。
【図８】禁煙用の状態での灰皿側の縦断面図である。
【符号の説明】
【００４４】
１  筐体（遊技機本体）
３７  灰皿
４４  灰皿支持部
４８  灰皿収容箱
５２  横軸
４７，５７  後壁
５６  底壁
６０  固定手段
６１  嵌合凸部
６２  嵌合凹部
６３  固定具
６５  禁煙表示
【図１】
0004480691.tif 000002
【図２】
0004480691.tif 000003
【図３】
0004480691.tif 000004
【図４】
0004480691.tif 000005
【図５】
0004480691.tif 000006
【図６】
0004480691.tif 000007
【図７】
0004480691.tif 000008
【図８】
0004480691.tif 000009